(57)【要約】【課題】構造を簡単化して軽量化を図るとともにコストダウンを図ることができ、アラミドロッドの吊りひもを仮止め作業が容易に行える中空柱の補強用棒状部材の保持装置および中空柱の補強用棒状部材の保持方法を提供する。【解決手段】中空柱の補強用棒状部材の保持装置１０（１０Ａ）は、コンクリート製の中空柱１の頂部６に取り付けられ、中空柱１を補強するための補強用棒状部材３を中空柱１内に吊り下げて保持する中空柱の補強用棒状部材の保持装置であり、中空柱１の頂部６から上方に突出している補強用鉄筋４０に対して固定されるリング状の本体部２１と、補強用棒状部材３の上端に取り付けられている吊りひも５を仮止めするための吊りひも仮固定部２３を有する。【選択図】図６
2015172306.tif 000002
【特許請求の範囲】
【請求項１】
コンクリート製の中空柱の頂部に取り付けられ、前記中空柱を補強するための補強用棒状部材を前記中空柱内に吊り下げて保持する中空柱の補強用棒状部材の保持装置であって、
前記中空柱の頂部から上方に突出している補強用鉄筋に対して固定されるリング状の本体部と、
前記補強用棒状部材の上端に取り付けられている吊りひもを仮止めするための吊りひも仮固定部と、を有することを特徴とする中空柱の補強用棒状部材の保持装置。
【請求項２】
前記本体部は、前記補強用鉄筋に対して結束部材を用いて前記本体部を取り付けて固定する取付部を有することを特徴とする請求項１に記載の中空柱の補強用棒状部材の保持装置。
【請求項３】
複数の前記吊りひも仮固定部と複数の前記取付部は、リング状の前記本体部の内側において、交互に間隔をおいて設けられていることを特徴とする請求項２に記載の中空柱の補強用棒状部材の保持装置。
【請求項４】
前記吊りひも仮固定部は、前記補強用棒状部材の前記吊りひもを巻き付けて取り付けるためのおねじと、前記おねじにねじ込まれて前記吊りひもを仮止めする蝶ナットと、を有することを特徴とする請求項２または３に記載の中空柱の補強用棒状部材の保持装置。
【請求項５】
前記取付部は、前記補強用鉄筋の周囲を囲む円筒形状を有し、前記取付部には、上切り欠き部と下切り欠き部が形成されており、前記補強用鉄筋に巻き付けられた前記結束部材は、前記取付部の前記上切り欠き部と前記下切り欠き部にはめ込んだ状態で前記取付部の外側でねじることで、前記本体部が、前記補強用鉄筋に対して固定されることを特徴とする請求項４に記載の中空柱の補強用棒状部材の保持装置。
【請求項６】
コンクリート製の中空柱の頂部に補強用棒状部材の保持装置を取り付けて、前記中空柱を補強するための前記補強用棒状部材を前記中空柱内に吊り下げて保持する中空柱の補強用棒状部材の保持方法であって、
前記補強用棒状部材の保持装置のリング状の本体部を、前記中空柱の頂部から上方に突出している補強用鉄筋に対して固定し、
前記補強用棒状部材の保持装置の吊りひも仮固定部を用いて、前記補強用棒状部材の上端に取り付けられている吊りひもを仮止めすることを特徴とする中空柱の補強用棒状部材の保持方法。
【請求項７】
前記本体部は取付部を有し、前記取付部は、前記補強用鉄筋に対して結束部材を用いて前記本体部を取り付けて固定することを特徴とする請求項６に記載の中空柱の補強用棒状部材の保持方法。
【請求項８】
前記吊りひも仮固定部に固定されたおねじに、前記補強用棒状部材の前記吊りひもを巻き付けて取り付けて、蝶ナットを前記おねじにねじ込むことで前記吊りひもを仮止めすることを特徴とする請求項７に記載の中空柱の補強用棒状部材の保持方法。
【請求項９】
円筒形状の前記取付部は、前記補強用鉄筋の周囲を囲み、前記取付部の上切り欠き部と下切り欠き部が形成されており、前記補強用鉄筋に巻き付けられた前記結束部材は、前記取付部の前記上切り欠き部と前記下切り欠き部にはめ込んだ状態で前記取付部の外側でねじることで、前記本体部を、前記補強用鉄筋に対して固定することを特徴とする請求項７に記載の中空柱の補強用棒状部材の保持方法。
【発明の詳細な説明】
【技術分野】
【０００１】
本発明は、コンクリート製の電柱等の中空柱の頂部に配置されて、頂部の開口から中空柱内に吊り下げて挿入される補強用棒状部材を、中空柱の頂部において保持するための中空柱の補強部材の保持装置および中空柱の補強用棒状部材の保持方法に関する。
【背景技術】
【０００２】
コンクリート製の電柱は、通常その基端部の所定長部分が地中に埋設された状態で、地上に立設される。このような電柱の外周部は、鉄筋とコンクリートにより製作され、内部に空洞を有する中空の筒状体である。電柱は、例えば、電柱の地際から１ｍ程上方の電柱側面に形成されたアース孔等の側面開口から、電柱の内部に補強用棒状部材であるロッド、具体的にはアラミドロッドを複数本挿入してから、これらの棒状部材の隙間に例えば豆砂利や砕石を投入し、更にモルタルやコンクリートなどを順次投入して電柱全体を補強する。
【０００３】
電柱の補強のために挿入される複数本のアラミドロッドは、側部開口から１本ずつ挿入される。この際に、１本目のアラミドロッドの上端に取り付けられているアラミドロッドの吊りひもを頂部の開口から引っ張り上げて、アラミドロッドの上端を電柱の頂部の開口まで引き上げたところで、アラミドロッドの吊りひもを電柱の上端に取り付けられているロッド固定装置に仮止めする。これにより、アラミドロッドは吊りひもを用いて電柱内に吊り下げた状態としている。
【０００４】
このように１本目のアラミドロッドを電柱内に引き上げて、そのアラミドロッドの吊りひもをロッド固定装置により仮止めすると、次に２本目のアラミドロッドを同様に引き上げ、そのアラミドロッドの吊りひもをロッド固定装置に仮止めする。そして、このようなアラミドロッドの引き上げおよびそのアラミドロッドの吊りひものロッド固定装置への仮止め作業は、複数のアラミドロッドの各々について順次繰り返す。これにより、複数のアラミドロッドは、電柱内に挿入した状態で、そのアラミドロッドの吊りひもをロッド固定装置に仮止めすることができる。
【０００５】
特許文献１では、上述したようにアラミドロッドの吊りひもをロッド固定装置に仮止めするために、長ナットが、電柱の上端面から突出している電柱の補強用の鋼線（鉄筋）に取り付けられ、この長ナットの上には、鉄製の一対の円弧部材が連結部材を介して取り付けられる。そして、アラミドロッドの吊りひもは、この一対の円弧部材に取り付けられているボルトとナットから成る仮止め部材に対して、仮止めする構造を採用している。
【先行技術文献】
【特許文献】
【０００６】
【特許文献１】特開２０１０−４７９８０号公報
【発明の概要】
【発明が解決しようとする課題】
【０００７】
ところが、上述した特許文献１に記載の技術では、アラミドロッドの吊りひもを仮止めするために、鉄製の長ナットや、溶接により作られている複雑な構造を有する鉄製の一対の円弧部材等が必要である。このため、アラミドロッドの吊りひもを仮止め作業をするために、構造が複雑で重い鉄製の一対の円弧部材を、電柱の頂部に載せて固定して使用する必要があるので作業が難しく、作業工数がかかり、電柱の頂部においてアラミドロッドの吊りひもを仮止めする作業が面倒であり、コストダウンが図れないという問題がある。
【０００８】
本発明は、上記に鑑みてなされたもので、その目的とするところは、構造を簡単化して軽量化を図るとともにコストダウンを図ることができ、中空柱の頂部においてアラミドロッドの吊りひもを仮止めする作業が容易に行える中空柱の補強用棒状部材の保持装置および中空柱の補強用棒状部材の保持方法を提供することにある。
【課題を解決するための手段】
【０００９】
上記課題を達成するため、請求項１に記載の中空柱の補強用棒状部材の保持装置は、コンクリート製の中空柱の頂部に取り付けられ、前記中空柱を補強するための補強用棒状部材を前記中空柱内に吊り下げて保持する中空柱の補強用棒状部材の保持装置であって、前記中空柱の頂部から上方に突出している補強用鉄筋に対して固定されるリング状の本体部と、前記補強用棒状部材の上端に取り付けられている吊りひもを仮止めするための吊りひも仮固定部と、を有することを特徴とする。
【００１０】
請求項１の中空柱の補強用棒状部材の保持装置は、リング状の本体部と、吊りひも仮固定部を有する簡単な構造であり、中空柱の補強時における取り扱いが容易であり、中空柱の頂部に固定して補強用棒状部材の吊りひもを仮止めして固定するだけで良い。従って、構造を簡単化して軽量化を図るとともにコストダウンを図ることができ、中空柱の頂部においてアラミドロッドの吊りひもを仮止めする作業が容易に行える。
【００１１】
請求項２に記載の中空柱の補強用棒状部材の保持装置では、前記本体部は、前記補強用鉄筋に対して結束部材を用いて前記本体部を取り付けて固定する取付部を有する。
【００１２】
請求項２の中空柱の補強用棒状部材の保持装置は、取付部に対して結束部材を用いるだけで補強用鉄筋に対して簡単に固定でき、中空柱の頂部において補強用棒状部材の保持装置固定作業が容易に行える。
【００１３】
請求項３に記載の中空柱の補強用棒状部材の保持装置では、複数の前記吊りひも仮固定部と複数の前記取付部は、リング状の前記本体部の内側において、交互に間隔をおいて設けられている。
【００１４】
請求項３の中空柱の補強用棒状部材の保持装置では、複数の吊りひも仮固定部と複数の取付部が、リング状の本体部の内側において交互に間隔をおいて設けられているので、中空柱の頂部において複数本の補強用棒状部材の吊りひもを複数の吊りひも仮固定部を用いて仮止めして固定でき、しかも補強用棒状部材の保持装置は、中空柱の頂部において複数の取付部を用いて複数箇所で確実に固定できる。
【００１５】
請求項４に記載の中空柱の補強用棒状部材の保持装置では、前記吊りひも仮固定部は、前記補強用棒状部材の前記吊りひもを巻き付けて取り付けるためのおねじと、前記おねじにねじ込まれて前記吊りひもを仮止めする蝶ナットと、を有する。
【００１６】
請求項４の中空柱の補強用棒状部材の保持装置では、蝶ナットを締める方向に回すだけで、吊りひもを簡単に仮止めすることができ、中空柱の頂部における仮止め作業が容易になる。
【００１７】
請求項５に記載の中空柱の補強用棒状部材の保持装置では、前記取付部は、前記補強用鉄筋の周囲を囲む円筒形状を有し、前記取付部には、上切り欠き部と下切り欠き部が形成されており、前記補強用鉄筋に巻き付けられた前記結束部材は、前記取付部の前記上切り欠き部と前記下切り欠き部にはめ込んだ状態で前記取付部の外側でねじることで、前記本体部が、前記補強用鉄筋に対して固定される。
【００１８】
請求項５の中空柱の補強用棒状部材の保持装置では、結束部材を取付部の上切り欠き部と下切り欠き部にはめ込むことで、結束部材の位置ずれを防止でき、結束部材を取付部の外側でねじるだけで、補強用棒状部材の保持装置は中空柱の頂部における補強用鉄筋に対して容易にしかも確実に固定できる。
【００１９】
請求項６に記載の中空柱の補強用棒状部材の保持方法は、コンクリート製の中空柱の頂部に補強用棒状部材の保持装置を取り付けて、前記中空柱を補強するための前記補強用棒状部材を前記中空柱内に吊り下げて保持する中空柱の補強用棒状部材の保持方法であって、前記補強用棒状部材の保持装置のリング状の本体部を、前記中空柱の頂部から上方に突出している補強用鉄筋に対して固定し、前記補強用棒状部材の保持装置の吊りひも仮固定部を用いて、前記補強用棒状部材の上端に取り付けられている吊りひもを仮止めする。
【００２０】
請求項６の中空柱の補強用棒状部材の保持方法では、中空柱の補強用棒状部材の保持装置は、リング状の本体部と、吊りひも仮固定部を有する簡単な構造であり、中空柱の補強時における取り扱いが容易であり、中空柱の頂部に固定して補強用棒状部材の吊りひもを仮止めして固定するだけで良い。従って、構造を簡単化して軽量化を図るとともにコストダウンを図ることができ、中空柱の頂部においてアラミドロッドの吊りひもを仮止めする作業が容易に行える。
【００２１】
請求項７に記載の中空柱の補強用棒状部材の保持方法では、前記本体部は取付部を有し、前記取付部は、前記補強用鉄筋に対して結束部材を用いて前記本体部を取り付けて固定する。
【００２２】
請求項７の中空柱の補強用棒状部材の保持方法では、取付部に対して結束部材を用いるだけで補強用鉄筋に対して簡単に固定でき、固定作業が容易に行える。
【００２３】
請求項８に記載の中空柱の補強用棒状部材の保持方法では、前記吊りひも仮固定部に固定されたおねじに、前記補強用棒状部材の前記吊りひもを巻き付けて取り付けて、蝶ナットを前記おねじにねじ込むことで前記吊りひもを仮止めする。
【００２４】
請求項８の中空柱の補強用棒状部材の保持方法では、蝶ナットを締める方向に回すだけで、吊りひもを簡単に仮止めすることができ、仮止め作業が容易になる。
【００２５】
請求項９に記載の中空柱の補強用棒状部材の保持方法では、円筒形状の前記取付部は、前記補強用鉄筋の周囲を囲み、前記取付部の上切り欠き部と下切り欠き部が形成されており、前記補強用鉄筋に巻き付けられた前記結束部材は、前記取付部の前記上切り欠き部と前記下切り欠き部にはめ込んだ状態で前記取付部の外側でねじることで、前記本体部を、前記補強用鉄筋に対して固定する。
【００２６】
請求項９の中空柱の補強用棒状部材の保持方法では、結束部材を取付部の上切り欠き部と下切り欠き部にはめ込むことで、結束部材の位置ずれを防止でき、結束部材を取付部の外側でねじるだけで、補強用棒状部材の保持装置は中空柱の頂部において補強用鉄筋に対して容易にしかも確実に固定できる。
【発明の効果】
【００２７】
本発明によれば、構造を簡単化して軽量化を図るとともにコストダウンを図ることができ、中空柱の頂部においてアラミドロッドの吊りひもを仮止めする作業が容易に行える中空柱の補強用棒状部材の保持装置および中空柱の補強用棒状部材の保持方法を提供できる。
【図面の簡単な説明】
【００２８】
【図１】本発明の中空柱の補強用棒状部材の保持装置の第１実施形態を備える中空柱を示す縦方向の断面図である。
【図２】中空柱の補強用棒状部材の保持装置の好ましい構造例を示す斜視図である。
【図３】中空柱の補強用棒状部材の保持装置の好ましい構造例を示す平面図である。
【図４】図４（Ａ）は、中空柱を補強する際に、中空柱の頂部に加工を施した状態を示し、図４（Ｂ）は、頂部の上面に突出している複数本の補強用鉄筋の中の２本の補強用鉄筋が選択的に残されている状態を示す斜視図である。
【図５】図５（Ａ）は、中空柱の頂部に残された２本の補強用鉄筋に固定された固定部材を示している側面図であり、図５（Ｂ）は、図５（Ａ）に示す２本の補強用鉄筋に固定用の針金を取り付けた状態を示している側面図であり、図５（Ｃ）は、中空柱の頂部の上面に補強用棒状部材の保持装置を載せようとしている状態を示す側面図である。
【図６】中空柱の頂部の上面に補強用棒状部材の保持装置を載せて固定し、補強用棒状部材を吊り下げた状態を示す斜視図である。
【図７】補強用棒状部材の保持装置が、固定用の針金を用いて中空柱の頂部の上面に固定されている状態を示す斜視図である。
【図８】図７に示す取付部におけるＡ−Ａ線における断面図である。
【図９】１本目のアラミドロッドが既に補強用棒状部材の保持装置を用いて仮止めして固定されていて、２本目のアラミドロッドの吊りひもが巻取りリールにより中空柱の空洞内に巻き上げられる様子を示す図である。
【図１０】作業が終了して、頂部にキャップをはめる様子を示す図である。
【図１１】本発明の中空柱の補強用棒状部材の保持装置の好ましい第２実施形態の構造例を示す斜視図である。
【図１２】本発明の中空柱の補強用棒状部材の保持装置の第２実施形態の好ましい構造例を示す平面図である。
【図１３】中空柱の頂部の上面に補強用棒状部材の保持装置を載せて固定し、補強用棒状部材を吊り下げた状態を示す斜視図である。
【発明を実施するための形態】
【００２９】
以下、図面を用いて、本発明を実施するための形態(以下、実施形態と称する)を説明する。
【００３０】
（第１実施形態）
図１は、本発明の中空柱の補強用棒状部材の保持装置の第１実施形態を備える中空柱１を示す縦方向の断面図である。
【００３１】
図１に示す中空柱１は、中空柱の補強用棒状部材の保持装置１０を備えており、この中空柱の補強用棒状部材の保持装置１０は中空柱１に頂部２に載せて固定されている。中空柱１は、例えばテーパを有するコンクリート製の電柱であり、基端部から上端に向けて先細りになっている。
【００３２】
図１に示す中空柱１の基端部から所定長の下部が、地中部分２Ａとして地中に埋設されて立設され、中空柱１の残りの部分２Ｂは、地上部分として地上に現れていることで、中空柱１の基端部の所定長部分が地中ＧＬに埋設された状態で地上に立設されている。このような中空柱１の外周部は、鋼線（補強用鉄筋）とコンクリートにより製作され、内部に空洞１Ｓを有する中空の筒状体である。
【００３３】
中空柱１は、例えば、中空柱１の地際から１ｍ程上方の電柱側面に形成されたアース孔等の側面開口１Ｒから中空柱１の空洞１Ｓ内に、補強用の棒状部材であるロッド、具体的にはアラミドロッド３や鋼線（図示せず）を複数本挿入する。そして、中空柱１の空洞１Ｓにおいて、アラミドロッド３や鋼線は、均等配置冶具４に通すことで、均等に配置して、これらのアラミドロッド３や鋼線の隙間に例えば豆砂利や砕石を投入して、更にモルタルやコンクリートなどを順次投入して、電柱である中空柱１の全体を補強するようになっている。
【００３４】
図１に示すように、中空柱の補強用棒状部材の保持装置１０は、複数本のアラミドロッド３の吊りひも５と必要に応じて１本のガイド棒１００の吊りひも１０５を仮止めして保持するために、中空柱１の頂部６に配置されている。
【００３５】
中空柱１の補強のために挿入される複数のアラミドロッド３は、側部開口１Ｒを通じて空洞１Ｓ内に順次１本ずつ挿入される。この際に、１本目のアラミドロッド３の上端部に取り付けられている吊りひも５を、頂部開口１Ｒから中空柱１内に入れて、そして中空柱１に沿ってＶ方向に引っ張り上げる。そして、アラミドロッド３の上端を中空柱１の頂部６の開口７まで引き上げたところで、アラミドロッド３の吊りひも５を中空柱１の頂部６に取り付けられている中空柱の補強用棒状部材の保持装置１０により仮止めし、アラミドロッド３を中空柱１内に吊り下げた状態にする。
【００３６】
このようにアラミドロッド３を中空柱１の空洞１Ｓ内で引き上げる場合に、１本目のアラミドロッド３を中空柱１内に引き上げ、そのアラミドロッド３の吊りひも５を中空柱の補強用棒状部材の保持装置１０により仮止めすると、次に２本目のアラミドロッド３を同様に引き上げ、そのアラミドロッドの吊りひも５を中空柱の補強用棒状部材の保持装置１０により仮止めする。そして、このようなアラミドロッド３の引き上げおよびそのアラミドロッド３の吊りひも５の中空柱の補強用棒状部材の保持装置１０への仮止め作業を複数のアラミドロッド３の各々について順次繰り返す。これにより、複数のアラミドロッド３は、中空柱１内に挿入して、そのアラミドロッド３の吊りひも５を中空柱の補強用棒状部材の保持装置１０により仮止めすることができる。１本のガイド棒１００も、吊りひも１０５を用いて空洞１Ｓ内で引き上げて、アラミドロッド３と同様に中空柱の補強用棒状部材の保持装置１０により仮止めすることができる。
【００３７】
次に、図２と図３を参照して、中空柱の補強用棒状部材の保持装置１０の好ましい構造例を説明する。
【００３８】
図２は、中空柱の補強用棒状部材の保持装置１０の好ましい構造例を示す斜視図であり、図３は、中空柱の補強用棒状部材の保持装置１０の好ましい構造例を示す平面図である。
【００３９】
図２と図３に示す中空柱の補強用棒状部材の保持装置１０は、図１に示すように中空柱１の頂部６に載せた状態で固定される。この中空柱の補強用棒状部材の保持装置１０は、金属製ではなく、軽量化して中空柱１の頂部６において取り扱いやすくするために、好ましくはプラスチック製である。ただし、この中空柱の補強用棒状部材の保持装置１０が軽量化できるのであれば、軽金属を用いて作ることもできる。
【００４０】
これにより、プラスチック製の中空柱の補強用棒状部材の保持装置１０は、重い金属製の中空柱の補強用棒状部材の保持装置を使用するのに比べて、中空柱１の頂部６において軽量で作業の際の取扱いが容易になる。このため、中空柱の補強用棒状部材の保持装置１０を用いてアラミドロッド３の仮止め作業やガイド棒１００の仮止め作業を容易にすることができるので、作業工数が減ってコストダウンを図ることができる。
【００４１】
図２と図３に示すプラスチック製の補強用棒状部材の保持装置１０は、リング状の本体部２１と、複数の取付部２２と、複数の吊りひも仮固定部２３と、中央開口部２０Ｐを有している。複数の取付部２２は、この補強用棒状部材の保持装置１０を、図１に示す中空柱１の頂部６の上面６Ａに載せて固定する部分である。各取付部２２と各吊りひも仮固定部２３は、リング状の本体部２１の内面２４において、交互になるように均等な間隔をおいて設けられている。
【００４２】
複数の吊りひも仮固定部２３は、図１に示すアラミドロッド３の吊りひも５を挟むことで仮固定する部分である。図２に示すこの中央開口部２０Ｐは、図２に示す複数の取付部２２と、複数の吊りひも仮固定部２３と本体部２１により囲まれるようにして形成されている。
【００４３】
図２と図３に示すように、複数の取付部２２はそれぞれほぼ円筒状の部材であり、断面円形の貫通した穴部２２Ｈを有している。例えば、４つの取付部２２は、本体部２１の内面２４において、９０度毎に内側に突出して形成されている。各取付部２２の上開口縁２２Ａは、内側の部分に、上切り欠き部２８を有し、各取付部２２の下開口縁２２Ｂは、下切り欠き部２９を有している。上切り欠き部２８は、下切り欠き部２９の上部に位置されている。
【００４４】
図２と図３に示すように、４つの吊りひも仮固定部２３が、本体部２１の内面２４において、９０度毎に内側に突出して形成されている。このため、４つの取付部２２と４つの吊りひも仮固定部２３は、本体部２１の内面２４において、４５度毎に交互に設けられている。
【００４５】
図２に示すように、４つの吊りひも仮固定部２３はそれぞれほぼ円柱状の部材であり、この吊りひも仮固定部２３の上端部には、埋め込みナット２３Ｎが埋め込まれている。埋め込みナット２３Ｎには、おねじ３０が取り付けられている。このおねじ３０には、蝶ナット３１が取り付けられている。この蝶ナット３１は、座金３１Ｄを有しており、回転することでおねじ３０に対して閉めたり緩めたりすることができる。
【００４６】
このように、複数の取付部２２が均等に配置されていることで、補強用棒状部材の保持装置１０は中空柱１の頂部６において、複数箇所において確実に固定できる。また、複数の吊りひも仮固定部２３が均等に配置されていることで、複数本のアラミドロッド３の吊りひも５や１本のガイド棒１００の吊りひも１０５を仮止めして固定することができる。
【００４７】
次に、図２と図３に示す補強用棒状部材の保持装置１０を用いて、図１に例示するように、補強用棒状部材である複数本のアラミドロッド３と１本のガイド棒１００を、中空柱１の空洞１Ｓ内において仮固定し保持する補強用棒状部材の保持方法を、説明する。
【００４８】
まず、図４を参照する。
【００４９】
図４（Ａ）は、図１に示す中空柱１の空洞１Ｓを補強する際に、中空柱１の頂部６の上面６Ａを調整加工した状態を示している。図４（Ｂ）は、頂部６の上面６Ａに突出している複数本の補強用鉄筋４０の中の２本の補強用鉄筋４０が選択的に残されている状態を示す斜視図である。
【００５０】
図４（Ａ）に示すように、頂部６には、複数本の補強用鉄筋４０が上方に突出している。これらの複数本の補強用鉄筋４０は、調整加工することにより図４（Ｂ）に例示するように、２本の補強用鉄筋４０を残して他の補強用鉄筋４０は切断する。このように補強用鉄筋４０を切断する際には、好ましくは対向する位置にある２本の補強用鉄筋４０を残して、他の補強用鉄筋４０を切断する。これにより、頂部６の上面６Ａは、２本の補強用鉄筋４０を残すとともに平坦にすることができる。このため、図２に示すリング状の補強用棒状部材の保持装置１０が上面６Ａに容易にしかも確実に載せることができる。
【００５１】
次に、図５と図６を参照する。
【００５２】
図５（Ａ）は、中空柱１の頂部６の上面６Ａに残された２本の補強用鉄筋４０に対して固定された固定部材４１を示している側面図である。図５（Ｂ）は、図５（Ａ）に示す２本の補強用鉄筋４０に対して、結束部材である固定用の針金４２を巻き付けて取り付けた状態を示している側面図である。図５（Ｃ）は、上面６Ａに補強用棒状部材の保持装置１０を載せようとしている状態を示す側面図である。
【００５３】
図６は、中空柱１の頂部６の上面６Ａに補強用棒状部材の保持装置１０を載せて固定した状態を示す斜視図である。
【００５４】
まず、図５（Ａ）に示すように、プラスチック製の円筒状の２つの固定部材４１を用意して、中空柱１の頂部６に残された各補強用鉄筋４０は、固定部材４１の孔４１Ｈに通して固定部材４１を固定する。ただし、固定部材４１の下端部と、頂部６の上面６Ａとの間には、隙間Ｍを形成しておく。
【００５５】
つづいて、図５（Ｂ）に示すように、強度が強く曲げやすい針金のような固定用の針金４２を、上述した隙間Ｍを利用して、２本の補強用鉄筋４０の下部に対して巻き付けて取り付けておく。
【００５６】
図５（Ｃ）と図６に示すように、中空柱１の頂部６の上面６Ａには、補強用棒状部材の保持装置１０を載せる。これにより、図６に示すように、各補強用鉄筋４０と固定部材４１は、対応する位置の取付部２２にはまり込む。そして、固定用の針金４２は、取付部２２の上切り欠き部２８と下切り欠き部２９に掛けながら、取付部２２の外側に引き出して、固定用の針金４２同士を絡ませてねじる。
【００５７】
このようにして固定用の針金４２を、取付部２２の上切り欠き部２８と下切り欠き部２９に掛けながら、取付部２２の外側に引き出して、固定用の針金４２同士を絡ませてねじった様子は、図７と図８に示している。図７は、補強用棒状部材の保持装置１０が、固定用の針金４２を用いて中空柱１の頂部６の上面６Ａに固定されている状態を示している。図８は、図７に示す取付部２２におけるＡ−Ａ線における断面を示している。
【００５８】
これにより、図６ないし図８に示すように、補強用棒状部材の保持装置１０は、中空柱１の頂部６の上面６Ａに載せた状態で、２か所の対応する位置の取付部２２，２２においてそれぞれ固定用の針金４２を用いて頂部６の上面６Ａの補強用鉄筋４０に対して、簡単に固定することができる。そして、必要に応じて、図６に示すように、粘着テープＴを、補強用棒状部材の保持装置１０と中空柱１の頂部６の外周囲に対して巻き付けることで、補強用棒状部材の保持装置１０の中空柱１の頂部６に対する固定を、より強固にしかも確実にすることができる。
【００５９】
中空柱１の頂部６の外周長さと、補強用棒状部材の保持装置１０のリング状の本体部２１の外周長さは、ほぼ同じにしておくことが望ましい。これにより、補強用棒状部材の保持装置１０は、中空柱１の頂部６からはみ出さないように載せて固定でき、粘着テープＴが巻き易い。
【００６０】
この補強用棒状部材の保持装置１０は、上述したように鉄等の金属ではなく、プラスチック製であるので、鉄製の中空柱の補強用棒状部材の保持装置を使用するのに比べて軽量で取扱いが容易であるので、中空柱の補強用棒状部材の保持装置１０を用いてアラミドロッド３の仮止め作業を容易であり、コストダウンを図ることができる。
【００６１】
補強用棒状部材の保持装置１０が中空柱１の頂部６に固定されると、次に、図１に示す側面開口１Ｒから、中空柱１の空洞１Ｓ内には、図６に示すように、例えば３本のアラミドロッド３と、１本のガイド棒１００が順次挿入される。
【００６２】
図９は、１本目のアラミドロッド３が既に補強用棒状部材の保持装置１０を用いて、空洞１Ｓ内に仮止めして保持されている。そして、２本目のアラミドロッド３の吊りひも５が巻取りリール７０により巻き上げられようとしており、この２本目のアラミドロッド３が側部開口１Ｒを通じて、空洞１Ｓ内に挿入されようとしている。
【００６３】
図９において、２本目のアラミドロッド３の吊りひも５が巻取りリール７０により巻き上げられると、１本目のアラミドロッド３と同様にして補強用棒状部材の保持装置１０を用いて、空洞１Ｓ内に仮止めして保持できる。３本目以降のアラミドロッド３と１本のガイド棒１００についても同様にして、空洞１Ｓ内に仮止めして保持できる。従って、３本のアラミドロッド３と１本のガイド棒１００は、図１に示すようにして吊り下げた状態で、仮止めして固定できる。
【００６４】
この際に、図６に示すように、３本のアラミドロッド３の吊りひも５と、１本のガイド棒１００の吊りひも１０５は、中空柱の補強用棒状部材の保持装置１０により仮止めして保持するために、それぞれ対応する位置のおねじ３０に巻き付けられ、そしてそれぞれ蝶ナット３１を締め付ける方向に回すことにより、仮止めして固定することができる。
【００６５】
また、図１に示すように、１つ目の均等配置冶具４が中空柱１の空洞１Ｓ内の中程に配置されており、この１つ目の均等配置冶具４は、図示しないが例えば中空柱の補強用棒状部材の保持装置１０に対して吊ひもを用いてつり下げて保持できる。
【００６６】
図１に示すように、この１つ目の均等配置冶具４は、ガイド棒１００を通す通し部４Ｂと、３本のアラミドロッド３をそれぞれ通す通し部４Ｒを有している。このため、３本のアラミドロッド３は、通し部４Ｒに通すことで、中空柱１の円周方向に沿って均等に配置され、ガイド棒１００は、通し部４Ｂに通すことで、３本のアラミドロッド３の中心位置に配置される。これにより、３本のアラミドロッド３とガイド棒１００の隙間には、例えば豆砂利や砕石を投入して、さらにモルタルやコンクリート等を順次投入することで、中空柱１が全体的に補強できることになる。
【００６７】
次に、図１に示すように、２つ目の均等配置冶具４は、側部開口１Ｒから図示しない操作具を用いて挿入される。そして、２つ目の均等配置冶具４は、空洞１Ｒ内で吊りひもにより引き上げられる。
【００６８】
図６に示す蝶ナット３１を緩めて１本目のアラミドロッド３の仮止めを解除して１本目のアラミドロッド３を徐々に下げていく。これにより、１本目のアラミドロッド３は、この２つ目の均等配置冶具４の通し部４Ｒに通した後、蝶ナット３１を再び締めて１本目のアラミドロッド３の仮止めをして固定する。続いて、２本目のアラミドロッド３と３本目のアラミドロッド３についても同様に行うことができる。
【００６９】
また、図６に示す蝶ナット３１を緩めての仮止めを解除してガイド棒１００を徐々に下げていく。これにより、ガイド棒１００は、この２つ目の均等配置冶具４の通し部４Ｂに通した後、蝶ナット３１を再び締めてガイド棒１００の仮止めをして固定する。このようにして、３本のアラミドロッド３は、中空柱１の円周方向に沿って均等に位置決めして配置され、１本のガイド棒１００は、３本のアラミドロッド３の中心位置に位置決めして配置される。
【００７０】
その後、２つ目の均等配置冶具４は、空洞１Ｓ内で所定の位置に引き上げられる。そして、３本のアラミドロッド３の上端部と、１本のガイド棒１００の上端部が、中空柱１の頂部６の開口１Ｒ付近に来るように、順番に引き上げてそれぞれ補強用棒状部材の保持装置１０を用いて再び仮止めをして固定する。
【００７１】
１つ目の均等配置冶具４と２つ目の均等配置冶具４だけでなく、次の３つ目の均等配置冶具４以降の配置作業についても、同様にして３本のアラミドロッド３と１本のガイド棒１００を通す際に、３本のアラミドロッド３と１本のガイド棒１００は仮止めを解除してその後仮止めを行うことができる。
【００７２】
このようにして、蝶ナット３１を緩める方向に回すだけで、３本目のアラミドロッド３の吊りひも５の仮止め状態をそれぞれ別々に解除して、例えば作業者が手で持って各アラミドロッド３を吊り下げた状態で各アラミドロッド３を中空柱１の空洞１Ｓ内で引き上げたり、降ろしたりして、各アラミドロッド３を高さ方向にそって所定位置まで上下移動して位置調整をすることができる。そして、アラミドロッド３が高さ方向にそって所定位置に位置決めできたら、再度蝶ナット３１を締め付ける方向に回すことにより、アラミドロッド３の吊りひも５を固定する。２本目のアラミドロッド３と３本目のアラミドロッド３についても、同様に高さ方向の調整を行って固定をすることができる。
【００７３】
同様にして、蝶ナット３１を緩める方向に回すことで、ガイド棒１００の吊りひも１０５の仮止め状態を解除して、例えば作業者が手で持ってガイド棒１００の吊りひも１０５を吊り下げた状態で中空柱１の空洞１Ｓ内で引き上げたり、降ろしたりして、ガイド棒１００を高さ方向にそって所定位置まで上下移動して位置調整をする。そして、ガイド棒１００が高さ方向にそって所定位置に位置決めできたら、再度蝶ナット３１を締め付ける方向に回すことにより、ガイド棒１００の吊りひも１０５を固定することができる。
【００７４】
最後に、３本のアラミドロッド３と１本のガイド棒１００を複数本挿入してから、３本のアラミドロッド３と１本のガイド棒１００の隙間には、例えば豆砂利や砕石を投入し、更にモルタルやコンクリートなどを順次投入して電柱全体を補強して、補強作業が完了したら、図１０（Ａ）から図１０（Ｂ）に示すように、中空柱１の頂部６と補強用棒状部材の保持装置１０を覆うために、キャップＣを装着する。キャップＣを装着することにより、中空柱１の頂部６と補強用棒状部材の保持装置１０の保護を図ることができる。
【００７５】
（第２実施形態）
次に、本発明の第２実施形態を説明する。
【００７６】
図１１は、本発明の中空柱の補強用棒状部材の保持装置の第２実施形態の好ましい構造例を示す斜視図であり、図１２は、中空柱の補強用棒状部材の保持装置１０Ａの好ましい構造例を示す平面図である。なお、本発明の第２実施形態の中空柱の補強用棒状部材の保持装置１０Ａは、すでに説明した本発明の第１実施形態の中空柱の補強用棒状部材の保持装置１０と、実質的に同様な個所には同じ符号を記し、重複する部分は説明を省略する。
【００７７】
本発明の第２実施形態の中空柱の補強用棒状部材の保持装置１０Ａは、すでに説明した本発明の第１実施形態の中空柱の補強用棒状部材の保持装置１０と異なるのは、図２と図１１を比較して分かるように、複数の取付部２２の設定数が４つから６つに増えており、複数の吊りひも仮固定部２３の設定数が４つから６つに増えていることである。
【００７８】
図１１と図１２に示す中空柱の補強用棒状部材の保持装置１０Ａは、図１に示すように中空柱１の頂部６に載せた状態で固定される。
【００７９】
図１１と図１２に示すプラスチック製の補強用棒状部材の保持装置１０Ａは、リング状の本体部２１と、複数の取付部２２と、複数の吊りひも仮固定部２３と、中央開口部２０Ｐを有している。複数の取付部２２は、この補強用棒状部材の保持装置１０Ａを、図１に示す中空柱１の頂部６の上面６Ａに載せて固定する部分である。各取付部２２と各吊りひも仮固定部２３は、リング状の本体部２１の内面２４において、交互になるように均等な間隔をおいて設けられている。
【００８０】
複数の吊りひも仮固定部２３は、図１に示すアラミドロッド３の吊りひも５を挟むことで仮固定する部分である。図１１に示すこの中央開口部２０Ｐは、図１１に示す複数（６つ）の取付部２２と、複数（６つ）の吊りひも仮固定部２３と本体部２１により囲まれるようにして形成されている。
【００８１】
図１１と図１２に示すように、複数の取付部２２はそれぞれほぼ円筒状の部材であり、断面円形の貫通した穴部２２Ｈを有している。各取付部２２の上開口縁２２Ａは、内側の部分に、上切り欠き部２８を有し、各取付部２２の下開口縁２２Ｂは、下切り欠き部２９を有している。上切り欠き部２８は、下切り欠き部２９の上部に位置されている。
【００８２】
図１１と図１２に示すように、６つの吊りひも仮固定部２３が、本体部２１の内面２４において、６０度毎に内側に突出して形成されている。このため、６つの取付部２２と６つの吊りひも仮固定部２３は、本体部２１の内面２４において、３０度毎に交互に設けられている。
【００８３】
図１１に示すように、６つの吊りひも仮固定部２３はそれぞれほぼ円柱状の部材であり、この吊りひも仮固定部２３の上端部には、埋め込みナット２３Ｎが埋め込まれている。埋め込みナット２３Ｎには、おねじ３０が取り付けられている。このおねじ３０には、蝶ナット３１が取り付けられている。この蝶ナット３１は、座金３１Ｄを有しており、回転することでおねじ３０に対して閉めたり緩めたりすることができる。
【００８４】
このように、複数の取付部２２が均等に配置されていることで、補強用棒状部材の保持装置１０Ａは中空柱１の頂部６において、複数箇所において確実に固定できる。また、複数の吊りひも仮固定部２３が均等に配置されていることで、複数本のアラミドロッド３の吊りひも５や１本のガイド棒１００の吊りひも１０５を仮止めして固定することができる。
【００８５】
次に、図１１と図１２に示す補強用棒状部材の保持装置１０Ａを用いて、図１に例示するように、例えば補強用棒状部材である複数本のアラミドロッド３と１本のガイド棒１００を、中空柱１の空洞１Ｓ内において仮固定し保持する補強用棒状部材の保持方法を、説明する。
【００８６】
図５は、中空柱１の頂部６の上面６Ａに補強用棒状部材の保持装置１０Ａを載せて固定した状態を示す斜視図である。
【００８７】
まず、図５（Ａ）に示すように、プラスチック製の円筒状の２つの固定部材４１を用意して、中空柱１の頂部６に残された各補強用鉄筋４０は、固定部材４１の孔４１Ｈに通して固定部材４１を固定する。ただし、固定部材４１の下端部と、頂部６の上面６Ａとの間には、隙間Ｍを形成しておく。
【００８８】
つづいて、図５（Ｂ）に示すように、強度が強く曲げやすい針金のような固定用の針金４２を、上述した隙間Ｍを利用して、２本の補強用鉄筋４０の下部に対して巻き付けて取り付けておく。
【００８９】
図５（Ｃ）と図１３に示すように、中空柱１の頂部６の上面６Ａには、補強用棒状部材の保持装置１０Ａを載せる。これにより、図１３に示すように、各補強用鉄筋４０と固定部材４１は、対応する位置の取付部２２にはまり込む。そして、固定用の針金４２は、取付部２２の上切り欠き部２８と下切り欠き部２９に掛けながら、取付部２２の外側に引き出して、固定用の針金４２同士を絡ませてねじる。
【００９０】
以下、図７乃至図１０に示す工程とほぼ同様なので、その説明を省略する。
【００９１】
上述したように、本発明の実施形態の中空柱の補強用棒状部材の保持装置１０（１０Ａ）は、コンクリート製の中空柱の頂部に取り付けられ、中空柱を補強するための補強用棒状部材を中空柱内に吊り下げて保持する中空柱の補強用棒状部材の保持装置であって、中空柱の頂部から上方に突出している補強用鉄筋に対して固定されるリング状の本体部と、補強用棒状部材の上端に取り付けられている吊りひもを仮止めするための吊りひも仮固定部を有する。
【００９２】
これにより、中空柱の補強用棒状部材の保持装置１０（１０Ａ）は、リング状の本体部と、吊りひも仮固定部を有する簡単な構造であり、中空柱の補強時における取り扱いが容易であり、中空柱の頂部に固定して補強用棒状部材の吊りひもを仮止めして固定するだけで良い。従って、構造を簡単化して軽量化を図るとともにコストダウンを図ることができ、中空柱の頂部においてアラミドロッドの吊りひもを仮止めする作業が容易に行える。
【００９３】
中空柱の補強用棒状部材の保持装置１０（１０Ａ）では、本体部は、補強用鉄筋に対して結束部材を用いて本体部を取り付けて固定する取付部を有する。これにより、取付部に対して結束部材を用いるだけで補強用鉄筋に対して簡単に固定でき、固定作業が容易に行える。
【００９４】
中空柱の補強用棒状部材の保持装置１０（１０Ａ）では、複数の吊りひも仮固定部と複数の取付部は、リング状の本体部の内側において、交互に間隔をおいて設けられている。これにより、複数の吊りひも仮固定部と複数の取付部が、リング状の本体部の内側において交互に間隔をおいて設けられているので、中空柱の頂部において複数本の補強用棒状部材の吊りひもを複数の吊りひも仮固定部を用いて仮止めして固定でき、しかも補強用棒状部材の保持装置は、中空柱の頂部において複数の取付部を用いて複数箇所で確実に固定できる。
【００９５】
中空柱の補強用棒状部材の保持装置１０（１０Ａ）では、吊りひも仮固定部は、補強用棒状部材の吊りひもを巻き付けて取り付けるためのおねじと、おねじにねじ込まれて吊りひもを仮止めする蝶ナットと、を有する。これにより、蝶ナットを締める方向に回すだけで、吊りひもを簡単に仮止めすることができ、中空柱の頂部における仮止め作業が容易になる。
【００９６】
中空柱の補強用棒状部材の保持装置１０（１０Ａ）では、取付部は、補強用鉄筋の周囲を囲む円筒形状を有し、取付部には、上切り欠き部と下切り欠き部が形成されており、補強用鉄筋に巻き付けられた結束部材は、取付部の上切り欠き部と下切り欠き部にはめ込んだ状態で取付部の外側でねじることで、本体部が、補強用鉄筋に対して固定される。これにより、結束部材を取付部の上切り欠き部と下切り欠き部にはめ込むことで、結束部材の位置ずれを防止でき、結束部材を取付部の外側でねじるだけで、補強用棒状部材の保持装置は中空柱の頂部における補強用鉄筋に対して容易にしかも確実に固定できる。
【００９７】
また、本発明の実施形態の中空柱の補強用棒状部材の保持方法は、コンクリート製の中空柱の頂部に補強用棒状部材の保持装置を取り付けて、中空柱を補強するための補強用棒状部材を中空柱内に吊り下げて保持する中空柱の補強用棒状部材の保持方法であって、補強用棒状部材の保持装置のリング状の本体部を、中空柱の頂部から上方に突出している補強用鉄筋に対して固定し、補強用棒状部材の保持装置の吊りひも仮固定部を用いて、補強用棒状部材の上端に取り付けられている吊りひもを仮止めする。これにより、中空柱の補強用棒状部材の保持装置１０（１０Ａ）は、リング状の本体部と、吊りひも仮固定部を有する簡単な構造であり、中空柱の補強時における取り扱いが容易であり、中空柱の頂部に固定して補強用棒状部材の吊りひもを仮止めして固定するだけで良い。従って、構造を簡単化して軽量化を図るとともにコストダウンを図ることができ、中空柱の頂部においてアラミドロッドの吊りひもを仮止めする作業が容易に行える。
【００９８】
中空柱の補強用棒状部材の保持方法では、本体部は取付部を有し、取付部は、補強用鉄筋に対して結束部材を用いて本体部を取り付けて固定する。これにより、取付部に対して結束部材を用いるだけで補強用鉄筋に対して簡単に固定でき、中空柱の頂部において補強用棒状部材の保持装置固定作業が容易に行える。
【００９９】
中空柱の補強用棒状部材の保持方法では、吊りひも仮固定部に固定されたおねじに、補強用棒状部材の吊りひもを巻き付けて取り付けて、蝶ナットをおねじにねじ込むことで吊りひもを仮止めする。これにより、蝶ナットを締める方向に回すだけで、吊りひもを簡単に仮止めすることができ、アラミドロッドの吊りひもを中空柱の頂部において仮止めする作業が容易に行える。
【０１００】
中空柱の補強用棒状部材の保持方法では、円筒形状の取付部は、補強用鉄筋の周囲を囲み、取付部の上切り欠き部と下切り欠き部が形成されており、補強用鉄筋に巻き付けられた結束部材は、取付部の上切り欠き部と下切り欠き部にはめ込んだ状態で取付部の外側でねじることで、本体部を、補強用鉄筋に対して固定する。これにより、結束部材を取付部の上切り欠き部と下切り欠き部にはめ込むことで、結束部材の位置ずれを防止でき、結束部材を取付部の外側でねじるだけで、補強用棒状部材の保持装置は中空柱の頂部において補強用鉄筋に対して容易にしかも確実に固定できる。
【０１０１】
以上、実施形態を挙げて本発明を説明したが、各実施形態は一例であり、特許請求の範囲に記載される発明の範囲は、発明の要旨を逸脱しない範囲内で種々変更できるものである。
【０１０２】
例えば、補強用棒状部材の保持装置１０（１０Ａ）では、複数の取付部２２と複数の吊りひも仮固定部２３が、リング状の本体部２１内において、交互に間隔を離して配置されている。これらの複数の取付部２２と複数の吊りひも仮固定部２３のそれぞれの数は、特に限定されない。使用されるアラミドロッド３の本数は、３本に限らず４本以上であっても良く、特に６本であることが好適である。
【符号の説明】
【０１０３】
１      中空柱
３      アラミドロッド
４      均等配置冶具
５      アラミドロッドの吊りひも
１０    補強用棒状部材の保持装置
１０Ａ  補強用棒状部材の保持装置
２１    本体部
２２    取付部
２３    吊りひも仮固定部
３０    おねじ（ボルト）
３１    蝶ナット
４０    補強用鉄筋
４１    固定部材
４２    針金（結束部材）
１００  ガイド棒
１０５  ガイド棒の吊りひも
Ｃ      キャップ
【図１】
2015172306.tif 000003
【図２】
2015172306.tif 000004
【図３】
2015172306.tif 000005
【図４】
2015172306.tif 000006
【図５】
2015172306.tif 000007
【図６】
2015172306.tif 000008
【図７】
2015172306.tif 000009
【図８】
2015172306.tif 000010
【図９】
2015172306.tif 000011
【図１０】
2015172306.tif 000012
【図１１】
2015172306.tif 000013
【図１２】
2015172306.tif 000014
【図１３】
2015172306.tif 000015